(57)【要約】      （修正有）【課題】体積が小さく携帯に便利で、履き替えが容易であり、非常に実用的な分割式防水靴を提供する。【解決手段】防水材料からなる靴体１と靴筒２を含み、靴体が硬質の防水材料からなり、靴筒が軟質の防水材料からなり、靴筒の底部開口が取り外し可能に靴体の靴口に覆設される。靴体の開口に滑り防止縁１２が設けられ、靴筒の底部内側に弾性内部防水層２３が付設され、弾性内部防水層は底部が靴筒の底部に接着し、上部が分離可能に滑り防止縁の下方に掛着する。【選択図】図１
0003199716.tif 000002
【実用新案登録請求の範囲】
【請求項１】
防水材料からなる靴体及び靴筒を含む分割式防水靴であって、
前記靴体は硬質の防水材料からなり、前記靴筒は軟質の防水材料からなり、且つ、前記靴筒の底部開口は取り外し可能に前記靴体の靴口に覆設され、前記靴体の開口には滑り防止縁が設けられ、且つ前記靴筒の底部内側には弾性内部防水層が付設される、ことを特徴とする分割式防水靴。
【請求項２】
前記弾性内部防水層は高さ１０〜１００ｍｍ、厚み０．１〜２ｍｍであるとともに、上部が幅狭で底部が幅広な構造とされ、前記滑り防止縁は高さ１〜５ｍｍであることを特徴とする請求項１に記載の分割式防水靴。
【請求項３】
前記靴筒の上部内側に滑り防止層が付設され、当該滑り防止層は上部に弾性固定ベルトが設けられ、底部が前記靴筒の筒体内側に接着されることを特徴とする請求項１又は２に記載の分割式防水靴。
【請求項４】
前記靴筒の筒体にファスナー開口が設けられることを特徴とする請求項３に記載の分割式防水靴。
【請求項５】
前記弾性内部防水層の材質はプラスチックであることを特徴とする請求項４に記載の分割式防水靴。
【請求項６】
前記靴筒の材質は布材であり、弾性内部防水層と靴筒の底部が加熱溶融により接続されることを特徴とする請求項５に記載の分割式防水靴。
【請求項７】
前記弾性内部防水層は、第１端が滑り防止縁と取り外し可能に接続され、第２端が靴筒の底部に固定されることを特徴とする請求項６に記載の分割式防水靴。
【請求項８】
防水材料からなる靴筒であって、前記靴筒は軟質の防水材料からなり、且つ、前記靴筒の底部開口は取り外し可能に靴体の靴口に覆設され、前記靴筒の底部内側に弾性内部防水層が付設され、前記弾性内部防水層は、底部が前記靴筒の底部に接着し、上部が分離可能に前記滑り防止縁の下方に掛着することを特徴とする靴筒。
【請求項９】
前記弾性内部防水層は高さ１０〜１００ｍｍ、厚み０．１〜２ｍｍであるとともに、上部が幅狭で底部が幅広な構造とされることを特徴とする請求項８に記載の靴筒。
【請求項１０】
前記靴筒の上部内側に滑り防止層が付設され、当該滑り防止層は上部に弾性固定ベルトが設けられ、底部が前記靴筒の筒体内側に接着される、ことを特徴とする請求項９に記載の靴筒。
【請求項１１】
前記靴筒の筒体にファスナー開口が設けられることを特徴とする請求項８に記載の靴筒。
【請求項１２】
前記弾性内部防水層の形状は円錐型であることを特徴とする請求項１に記載の分割式防水靴。
【請求項１３】
前記滑り防止縁と前記靴体は一体的に構成されることを特徴とする請求項１に記載の分割式防水靴。
【請求項１４】
前記滑り防止縁は前記靴筒と弾性接続可能であることを特徴とする請求項１に記載の分割式防水靴。
【請求項１５】
前記滑り防止縁は環状の外部延伸部材からなり、前記靴体の上端に配置されることを特徴とする請求項１３に記載の分割式防水靴。
【考案の詳細な説明】
【技術分野】
【０００１】
本考案は生活用品分野に関し、特に分割式防水靴及び靴筒に関する。
【背景技術】
【０００２】
雨天の外出は路面が滑り、水たまりが多いことから、靴や足が濡れてしまいがちである。こうした情況を防止するには、防水靴（雨靴）の着用が必須となる。従来技術の防水靴は靴体と靴筒を同一材料とした一体型設計を採用しており、防水性の硬質プラスチックを材料としている。しかし、このような防水靴は体積が大きく携帯にきわめて不便であり、履き替えにも手間がかかっていた。
【考案の概要】
【０００３】
本考案が解決しようとする技術的課題は、体積が小さく携帯に便利であり、履き替えが容易で非常に実用的な分割式防水靴を提供することである。
【０００４】
本考案が更に解決しようとする技術的課題は、体積が小さく携帯に便利であり、履き替えが容易で非常に実用的な靴筒を提供することである。
【０００５】
上記の技術的課題を解決するために、本考案は以下の技術方案を用いる。
【０００６】
分割式防水靴であって、防水材料からなる靴体と靴筒を含み、靴体が硬質の防水材料からなり、靴筒が軟質の防水材料からなり、且つ靴筒の底部開口が取り外し可能に靴体の靴口に覆設され、靴体の開口に滑り防止縁が設けられ、且つ靴筒の底部内側に弾性内部防水層が付設され、当該弾性内部防水層は底部が靴筒の底部に接着し、上部が分離可能に滑り防止縁の下方に掛着する。
【０００７】
好ましくは、前記弾性内部防水層は高さ１０〜１００ｍｍ、厚み０．１〜２ｍｍであるとともに、上部が幅狭で底部が幅広な構造とされ、前記滑り防止縁は高さ１〜５ｍｍである。
【０００８】
好ましくは、前記靴筒の上部内側に滑り防止層が付設され、当該滑り防止層は上部に弾性固定ベルトが設けられ、底部が前記靴筒の筒体内側に接着される。
【０００９】
好ましくは、前記靴筒の筒体にファスナー開口が設けられる。
【００１０】
更に、本考案は防水材料からなる靴筒を開示し、前記靴筒は軟質の防水材料からなり、且つ、前記靴筒の底部開口は取り外し可能に前記靴体の靴口に覆設される。
【００１１】
好ましくは、前記靴筒の底部に弾性内部防水層が付設され、当該弾性内部防水層は、底部が前記靴筒の底部に接着し、上部が分離可能に前記滑り防止縁の下方に掛着する。
【００１２】
好ましくは、前記弾性内部防水層は高さ１０〜１００ｍｍ、厚み０．１〜２ｍｍであるとともに、上部が幅狭で底部が幅広な構造とされ、前記滑り防止縁は高さ１〜５ｍｍである。
【００１３】
好ましくは、前記靴筒の上部内側に滑り防止層が付設され、当該滑り防止層は上部に弾性固定ベルトが設けられ、底部が前記靴筒の筒体内側に接着される。
【００１４】
好ましくは、前記靴筒の筒体にファスナー開口が設けられる。
【００１５】
好ましくは、前記弾性内部防水層の形状は円錐型である。
【００１６】
本考案では、以下の有益な効果を得られる。
【００１７】
本考案の実施例は、靴体と靴筒を取り外し可能な分割式構造とし、且つ靴筒を軟質の防水材料から構成することで、不使用時には折り畳んで巻き取ることを可能としている。よって、防水靴の体積が大幅に縮小され、携帯や履き替えに非常に便利であり、実用性が大いに高められる。本考案は、各種の防水及び汚れ防止の状況に適用可能である。
【００１８】
以下に図面を組み合わせて本考案について更に詳述する。
【図面の簡単な説明】
【００１９】
【図１】図１は、本考案における分割式防水靴の一実施例の構造を示す図である。
【図２】図２は、本考案における分割式防水靴の一実施例の構造を示す分解図である。
【図３】図３は、本考案の分割式防水靴の一実施例における靴筒の一方の内側面を示す図である。
【図４】図４は、本考案の分割式防水靴の一実施例における靴筒の他方の内側面を示す図である。
【考案を実施するための形態】
【００２０】
以下に、図１〜図４を参照して本考案が提供する分割式防水靴の一実施例について詳述する。図１及び図２に示すように、本実施例は防水材料からなる靴体１と靴筒２を主に含み、前記靴体１は硬質の防水材料からなり、前記靴筒２は軟質の防水材料からなる。且つ、前記靴筒２の底部開口２１は取り外し可能に前記靴体１の靴口１１に覆設される。
【００２１】
また、前記靴体１の靴口１１には更に滑り防止縁１２が設けられている。滑り防止縁１２は靴体に設けられる外部延伸部材であって、靴口１１に配置され、具体的形状は限定されないが、滑り防止縁１２と靴体１とが一体的に構成されることが好ましい。滑り防止縁１２は靴筒２と弾性接続可能である。好ましくは、滑り防止縁１２は環状の外部延伸部材からなり、靴体１の上端に配置される。
【００２２】
図３及び図４を参照して、具体的な実現に際しては、前記靴筒２の底部に弾性内部防水層２３が付設される。当該弾性内防水層２３は、底部が前記靴筒２の底部に接着し、上部が分離可能に前記滑り防止縁１２の下方に掛着する。弾性内部防水層２３の第１端は滑り防止縁１２に取り外し可能に接続されるとともに、弾性接続可能である。滑り防止縁からの弾性内部防水層２３の脱離を規制すべく、弾性内部防水層２３における第１端の厚みは滑り防止縁１２の高さよりも小さくなっている。好ましくは、弾性内部防水層２３の第２端は、糸による縫合で靴筒２の底部位置に固定されたうえで、加熱溶融により接続される。
【００２３】
具体的な実現に際しては、弾性内部防水層２３の材質としてプラスチックが最適である。靴筒２の材料は布としてもよく、弾性内部防水層２３と靴筒２の底部が加熱溶融により接続される。更に、弾性内部防水層２３はゴム又はその他の弾性材料からなってもよい。好ましくは、弾性内部防水層２３の形状は円錐型である。
【００２４】
更に、前記弾性内部防水層２３は、高さ１０〜１００ｍｍが最適であり、厚み０．１〜２ｍｍが最適であるとともに、上部が幅狭で底部が幅広な構造とされる。また、前記滑り防止縁１２の高さは１〜５ｍｍが最適である。
【００２５】
また、前記靴筒２の上部開口２２の内側には滑り防止層２４を更に付設してもよい。当該滑り防止層２４は上部に弾性固定ベルト２４１が設けられ、底部が前記靴筒２における筒体内側に接着される。
【００２６】
なお、着用をより便利にするとの観点から、前記靴筒２の筒体にファスナー開口２５を更に設けてもよい。
【００２７】
次に、図２〜図４を参照して本考案が提供する靴筒の一実施例について詳述する。図３及び図４に示すように、本実施例と上述の実施例における靴筒２の構造と用途はまったく同じであるため、説明を省略する。
【００２８】
以上は本考案の望ましい実施形態にすぎず、当業者であれば、本考案の原理から逸脱しないことを前提として更に若干の改良および追加が可能であり、これらの改良及び追加もまた本考案の保護範囲とみなされる。
【図１】
0003199716.tif 000003
【図２】
0003199716.tif 000004
【図３】
0003199716.tif 000005
【図４】
0003199716.tif 000006
【手続補正書】
【提出日】平成27年2月24日(2015.2.24)
【手続補正１】
【補正対象書類名】実用新案登録請求の範囲
【補正対象項目名】全文
【補正方法】変更
【補正の内容】
【実用新案登録請求の範囲】
【請求項１】
防水材料からなる靴体及び靴筒を含む分割式防水靴であって、
前記靴体は硬質の防水材料からなり、前記靴筒は軟質の防水材料からなり、且つ、前記靴筒の底部開口は取り外し可能に前記靴体の靴口に覆設され、前記靴体の開口には滑り防止縁が設けられ、且つ前記靴筒の底部内側には弾性内部防水層が付設される、ことを特徴とする分割式防水靴。
【請求項２】
前記弾性内部防水層は、底部が前記靴筒の底部に接着し、上部が分離可能に前記滑り防止縁の下方に掛着することを特徴とする請求項１記載の分割式防水靴。
【請求項３】
前記弾性内部防水層は高さ１０〜１００ｍｍ、厚み０．１〜２ｍｍであるとともに、上部が幅狭で底部が幅広な構造とされ、前記滑り防止縁は高さ１〜５ｍｍであることを特徴とする請求項１又は２記載の分割式防水靴。
【請求項４】
前記靴筒の上部内側に滑り防止層が付設され、当該滑り防止層は上部に弾性固定ベルトが設けられ、底部が前記靴筒の筒体内側に接着される、ことを特徴とする請求項２記載の分割式防水靴。
【請求項５】
前記靴筒の筒体にファスナー開口が設けられることを特徴とする請求項４記載の分割式防水靴。
【請求項６】
前記弾性内部防水層の材質はプラスチックであることを特徴とする請求項５記載の分割式防水靴。
【請求項７】
前記靴筒の材質は布材であり、弾性内部防水層と靴筒の底部が加熱溶融により接続されることを特徴とする請求項６記載の分割式防水靴。
【請求項８】
前記弾性内部防水層は、第１端が滑り防止縁と取り外し可能に接続され、第２端が靴筒の底部に固定されることを特徴とする請求項７記載の分割式防水靴。
【請求項９】
防水材料からなる靴筒であって、前記靴筒は軟質の防水材料からなり、且つ、前記靴筒の底部開口は取り外し可能に靴体の靴口に覆設され、前記靴筒の底部内側に弾性内部防水層が付設されることを特徴とする靴筒。
【請求項１０】
前記弾性内部防水層は、底部が前記靴筒の底部に接着し、上部が分離可能に靴体の滑り防止縁の下方に掛着することを特徴とする請求項９記載の靴筒。
【請求項１１】
前記弾性内部防水層は高さ１０〜１００ｍｍ、厚み０．１〜２ｍｍであるとともに、上部が幅狭で底部が幅広な構造とされることを特徴とする請求項１０記載の靴筒。
【請求項１２】
前記靴筒の上部内側に滑り防止層が付設され、当該滑り防止層は上部に弾性固定ベルトが設けられ、底部が前記靴筒の筒体内側に接着される、ことを特徴とする請求項１１記載の靴筒。
【請求項１３】
前記靴筒の筒体にファスナー開口が設けられることを特徴とする請求項９又は１０記載の靴筒。
【請求項１４】
前記弾性内部防水層の形状は円錐型であることを特徴とする請求項１又は２記載の分割式防水靴。
【請求項１５】
前記滑り防止縁と前記靴体は一体的に構成されることを特徴とする請求項１又は２記載の分割式防水靴。
【請求項１６】
前記滑り防止縁は前記靴筒と弾性接続可能であることを特徴とする請求項１又は２記載の分割式防水靴。
【請求項１７】
前記滑り防止縁は環状の外部延伸部材からなり、前記靴体の上端に配置されることを特徴とする請求項１５記載の分割式防水靴。